(57)【要約】【課題】エバネッセント光と通常光を利用する光ファイバを備えたカテーテルシステムにおいて、患者にさらなる負担を強いることなくエバネッセント光または通常光で血液中の光吸収物質を、従来の構成に比較し簡単な構成で迅速かつ経時的に検出し、血液や血管壁の各種特性を精度よく測定する光音響効果を用いたカテーテルシステムを提供する。【解決手段】制御部８の下、光源１３からレーザ光が出力され励起フィルタによって測定する光吸収物質に適した励起波を作り、該励起波はカテーテルに導入される。光ファイバ先端部からエバネッセント光が発生または通常光が射出され、血液中の光吸収物質に照射されると、光吸収に基づく光音響効果による音波が集音マイク５０で検出され信号成分が取出され、制御部８で基準データと比較して血液の各種特性値を得る。エバネッセント光は血漿中や血管壁表面の、通常光は全血液や血管壁内部の光吸収物質の検出に利用する。【選択図】図１
2007307007.tif 000002
【特許請求の範囲】
【請求項１】
光ファイバ先端を血管中に留置してエバネッセント光を発生させ、該エバネッセント光の生体物質による吸収を検出することにより血漿および血管壁表面の状態を測定するカテーテルシステムであって、
生体の外部表面に配置され、前記光吸収強度に基づき光音響効果で発生する音波を検出し電気信号に変換する音波検出素子と、
前記音波検出素子で検出した電気信号を処理し、音波信号対応の電圧または電流信号を出力する処理回路と、
前記処理回路の電圧または電流信号を基準波と比較することにより、血液の各種特性の状態を示す信号を出力する制御手段と、
を備えたことを特徴とする光音響効果を用いたカテーテルシステム。
【請求項２】
前記光ファイバの先端部は、円柱形状先端のクラッド層を除去し、コアを露出させてエバネッセント光を発生させることを特徴とする請求項１記載の光音響効果を用いたカテーテルシステム。
【請求項３】
光ファイバ先端を血管中に留置して通常光を放射させ、該通常光の生体物質による吸収を検出することにより全血液および血管壁内部の状態を測定するカテーテルシステムであって、
生体の外部表面に配置され、前記光吸収強度に基づき光音響効果で発生する音波を検出し電気信号に変換する音波検出素子と、
前記音波検出素子で検出した電気信号を処理し、音波信号対応の電圧または電流信号を出力する処理回路と、
前記処理回路の電圧または電流信号を基準波と比較することにより、血液の各種特性の状態を示す信号を出力する制御手段と、
を備えたことを特徴とする光音響効果を用いたカテーテルシステム。
【請求項４】
前記光ファイバの先端部は、先端端面もしくは側面部、または、先端端面と側面部より通常光を放射させることを特徴とする請求項３記載の光音響効果を用いたカテーテルシステム。
【請求項５】
前記光ファイバ先端部は、エバネッセント光もしくは通常光を単独で、または、エバネッセント光と通常光を切り替えられる機構とした請求項２または４記載の光電効果を用いたカテーテルシステム。
【請求項６】
前記処理回路は、前記音波検出素子からの電気信号の位相に参照信号を引き込むことにより得られる信号成分を時間平均化して直流電圧を出力するロックインアンプを有することを特徴とする請求項１、２、３、４または５記載の光音響効果を用いたカテーテルシステム。
【請求項７】
前記音波検出素子は、マイクロフォンであり、
該マイクロフォンは、血管中の前記光ファイバの先端部からのエバネッセント光または通常光で測定するターゲットに対面させられ、かつ該測定ターゲットが近い生体の外表面に密着させられることを特徴とする請求項１、２、３、４、５または６記載の光音響効果を用いたカテーテルシステム。
【発明の詳細な説明】
【技術分野】
【０００１】
本発明は、集中医療、救急医療での血液測定の際に使用される光音響効果を用いたカテーテルシステムに関する。
【背景技術】
【０００２】
本件出願人は、血中の薬剤や生体物質の濃度変化などを測定するため血液中の発光組成物を選択的，定量的に測定するシステムとして、エバネッセント光を利用する光ファイバを備えたカテーテルシステムを既に提案している（特許文献１）。
通常光は空間を伝播し（空間伝搬光）、血液中にｍｍ単位の深さで浸透するため、赤血球中に存在するヘモグロビンにより広い波長帯域の光が吸収される。このため、血中から直接定量する場合、血中に注入した蛍光物質（医薬品など）を励起して蛍光を検出する際に、ヘモグロビンの光吸収に妨害され、検出はほとんど不可能になる。一方、エバネッセント光（近接場光とも言う）は、エバネッセント光が発生している表面近傍の数百ｎｍ付近に存在し、通常光のように空間を伝播することはない。このため、血液中では直径約８μｍの赤血球中に存在するヘモグロビンの影響をほとんど受けず、血漿中の蛍光物質を励起できる。
特許文献１では、前記に示したエバネッセント光の特性を利用してカテーテル先端周囲の物質の蛍光強度や蛍光スペクトルを確実に測定できる構造を提供することを目的としている。
【０００３】
上記提案はエバネッセント光の発生と、蛍光の検出を１本の光ファイバで行うか、それぞれ別の光ファイバで行うかの構成に大別される。
前者は、エバネッセント光を発生させる構成として光ファイバ先端の一部のクラッド層を除去しコアを露出させることにより、光ファイバに導入された励起光を前記露出したコア部分で全反射させてエバネッセント光を発生させ、該エバネッセント光を血中に存在する蛍光物質に照射することにより発生する蛍光を光ファイバ先端部から光ファイバに入射させ光ファイバ外部に導き外部の測定器で測定するものである。
後者は１本の光ファイバが上記と同じような構造でエバネッセント光を発生させ、蛍光物質で発生する蛍光を他の１本の光ファイバで外部に導き検知するものである。
【０００４】
ところで、蛍光の検出について注目した場合、１本の光ファイバで構成されるシステムは、細い光ファイバの中で光の送受信，エバネッセント光の発生，蛍光の検出を１本の光ファイバで行っているため、ファイバ径の細小化および構成が困難であり、さらには蛍光検出の光が光ファイバの中を返送されるため、微弱な光はさらに弱くなり、血液の測定精度に限度があった。
また、２本の光ファイバを用いた場合、それぞれの光ファイバの構成は複雑にはならないが、２本となるため光ファイバのカテーテルの専有する断面積は大きくなり、カテーテルの径は小さくすることはできず、蛍光検出の光が光ファイバの中を返送されるため、微弱な光はさらに弱くなるという上記と共通する問題が存在する。
【０００５】
一方、不透明体や散乱物質中の光吸収やスペクトルを測定する手段として光音響法による検出が考えられる。
光音響法を用いるものとして光音響分光分析装置及び光音響分光分析方法が提案されている（特許文献２）。これは、試料に励起光を照射し、試料からの光音響波を検出するものであり、実施例では体表面から光ファイバを挿通して、光ファイバにレーザ光を導入して照射し、試料中の測定対象物質はこの光を吸収して励起される。そして吸収したエネルギーを無放射過程により放出する際、熱膨脹による変位、即ち音響波が発生し、これを圧電センサによって検知するものである。試料は生体の血管を流れる血液で、測定対象物質はグルコースであり、血液中のグルコース濃度を求めるものである。
【０００６】
また、ヒトまたはヒト以外の動物の生体またはその一部の画像を作成する方法として光音響画像を形成する光音響画像形成装置が提案されている（特許文献３）。
これは、造影剤を生体に投与し、放射線で暴露して発生した圧力波から音響画像を作成するものである。
さらに細胞の自己蛍光放射を検出するものとして細胞の自己蛍光を使用した癌の検出方法が提案されている（特許文献４）。
これは、細胞の自己蛍光を測定することによる新形成又は化成である細胞を検出することを目的としており、内視鏡を通して挿入された光ファイバにより紫外線に暴露して蛍光を発生させ、そこからトリプトファン放射スペクトルを示す波長を測定するものである。この提案では、測定方法の１つとして光音響法を含む他の技術に適用されることが記述されている。
【０００７】
上記特許文献２はレーザ光の励起光を用い、これによって試料から発生する音響波を圧電素子で検出するものであるが、通常光を利用しているため、血液中ではヘモグロビンによる吸収の影響を受けない近赤外部に吸収を持つグルコースなどにしか使用できない。また、特許文献３は、造影剤を放射線で暴露して発生した圧力波から音響画像を発生させるもので、血液中の薬剤や生体物質から生じる光音響効果による音波を検出することはできない。
特許文献４は紫外線に暴露して蛍光を発生させ、そこからトリプトファン放射スペクトルを示す波長を測定する具体例を開示し、光音響法なども適用可能という記述は存在するが、具体的構成の開示はない。
特許文献５は光ファイバのクラッド層を一部剥ぎ取ってエバネッセント光を発生させ、生体組織中の吸収スペクトルを測定するシステムを開示しているが、測定に光音響法は利用していない。また、エバネッセント光と通常光の切り替えも行っていないため、全血と血漿、または、血管壁内部と表面を区別して測定することもできない。
【特許文献１】特願２００４−３４８４８２号
【特許文献２】特開平９−１３３６５５号公報
【特許文献３】特表２００２−５０８７６０号公報
【特許文献４】特表２００３−５３３６７４号公報
【特許文献５】特開２００２−２１４１３２号公報
【発明の開示】
【発明が解決しようとする課題】
【０００８】
本発明は、上記諸問題に鑑みなしたもので、その目的は光吸収を利用する光ファイバを備えたカテーテルシステムにおいて、患者にさらなる負担を強いることなく血液中および血管壁内の各種光吸収物質量を、迅速、かつ経時的に従来の構成に比較し簡単な構成で高感度に検出し、全血液または血漿中、および、血管壁内部または血管壁表面の各種特性をそれぞれ分離して精度よく測定することができる光音響効果を用いたカテーテルシステムを提供することにある。
【課題を解決するための手段】
【０００９】
前記目的を達成するために本発明の請求項１は、光ファイバ先端を血管中に留置してエバネッセント光を発生させ、該エバネッセント光を吸収した光吸収物質からの音波信号を検出することにより血漿および血管壁表面の状態を測定するカテーテルシステムであって、生体の外部表面に配置され、前記光吸収強度に基づき光音響効果で発生する音波を検出し電気信号に変換する音波検出素子と、前記音波検出素子で検出した電気信号を処理し、音波信号対応の電圧または電流信号を出力する処理回路と、前記処理回路の電圧または電流信号を基準波と比較することにより、血液および血管壁の各種特性の状態を示す信号を出力する制御手段とを備えたことを特徴とする。
本発明の請求項２は、請求項１記載の発明において前記光ファイバ先端部は、円柱形状先端のクラッド層を除去し、コアを露出させてエバネッセント光を発生させることを特徴とする。
本発明の請求項３は、光ファイバ先端を血管中に留置して通常光を放射させ、該通常光の生体物質による吸収を検出することにより全血液および血管壁内部の状態を測定するカテーテルシステムであって、生体の外部表面に配置され、前記光吸収強度強度に基づき光音響効果で発生する音波を検出し電気信号に変換する音波検出素子と、前記音波検出素子で検出した電気信号を処理し、音波信号対応の電圧または電流信号を出力する処理回路と、前記処理回路の電圧または電流信号を基準波と比較することにより、血液および血管壁の各種特性の状態を示す信号を出力する制御手段と、を備えたことを特徴とする。
本発明の請求項４は、請求項３記載の発明において前記光ファイバの先端部は、先端端面もしくは側面部、または、先端端面と側面部より通常光を放射させることを特徴とする。
本発明の請求項５は、請求項２または４記載の発明において前記光ファイバ先端部は、エバネッセント光もしくは通常光を単独で、または、エバネッセント光と通常光を切り替えられる機構を備えたことを特徴とする。
本発明の請求項６は、請求項１、２、３、４または５記載の発明において前記処理回路は、前記音波検出素子からの電気信号の位相に参照信号を引き込むことにより得られる信号成分を時間平均化して直流電圧を出力するロックインアンプを有することを特徴とする。
本発明の請求項７は、請求項１、２、３、４、５または６記載の発明において前記音波検出素子は、マイクロフォンであり、該マイクロフォンは、血管中の前記光ファイバの先端部からのエバネッセント光または通常光で測定するターゲットに対面させられ、かつ該測定ターゲットが近い生体の外表面に密着させられることを特徴とする。
【発明の効果】
【００１０】
上記構成によれば、エバネッセント光または通常光を吸収する血液中や血管壁中の薬剤や生体物質の濃度を、患者にさらなる負担を強いることなく経時的に迅速で精度よく検出することができる。
エバネッセント光は、エバネッセント光が発生している表面近傍の数百ｎｍ付近に存在し、通常光のように空間を伝播することはない。このため、血液中では直径約８μｍの赤血球中に存在するヘモグロビンの影響をほとんど受けず、血漿中の光吸収物質を測定できる。また、カテーテルを血管壁に接触させることで、血管壁表面に存在する光吸収物質を測定できる。
一方、通常光は空間を伝播し、血液中に数ｍｍ単位で浸透するため、赤血球中に存在するヘモグロビンにより広い波長帯域の光が吸収される。したがって、血中酸素分圧などのヘモグロビンが関与している項目も測定できる。また、カテーテルを血管壁に接触させることで、血管壁内部に浸透して内部に存在する光吸収物質を測定できる。
光音響効果を用いて光吸収を検出するため、カテーテル手元側における入射光と射出光の分離が不要になる。蛍光検出では、励起光より蛍光の波長が長いため、フィルタなどを利用することで比較的容易に入射光と射出光を分離することができる。また、通常光による光吸収では、照射側と受光側に別々の光ファイバを用いることで、容易に入射光と射出光の分離ができる。しかし、エバネッセント光による光吸収測定では、１本の光ファイバで同じ波長の入射光と射出光を分離する必要があり、装置が複雑になりやすいが、光音響法では入射光と射出光の分離は不必要になる。
さらに処理回路にロックインアンプを用い、集音信号をディジタル信号に変換して高速・高精度のディジタル処理を行い、血液および血管壁の各種特性を一層精度良く測定することができる。
また、光ファイバ先端のクラッド層が除去されコア層が露出した状態で血中に留置されるため、光ファイバ先端部分からエバネッセント光を効率的に発生させて光吸収物質が吸収する励起光の強度を増大させ、よりレベルの大きい音波を受信できるため、血液の測定精度が向上する。
【発明を実施するための最良の形態】
【００１１】
以下、図面を参照して本発明の実施の形態を詳しく説明する。
図１は、本発明による光音響効果を用いたカテーテルシステムの構成例を示す図である。この例は本発明によるカテーテルシステムに適用される光学系および回路系の構成図である。
制御部８は操作卓１２からの指示に基づき光源制御部１１に対し光源起動の制御信号を送る。光源制御部１１はレーザダイオード，ＬＥＤなどの光源１３を起動させる。光源１３の励起光は集光レンズ１４，励起フィルタ１５を通過し、集光レンズ２により光コネクタ１の光ファイバ端に導かれる。光ファイバ端から入射した励起光はエバネッセントカテーテル３の先端に伝達される。
【００１２】
図２は、本発明によるカテーテルシステムに用いるカテーテル先端の構造を示す図で、（ａ），（ｂ），（ｃ）および（ｄ）に実施例を示している。
いずれもカテーテル２１の先端部付近において光ファイバの全周または一部分に渡り保護層２２およびクラッド層２３が除去された構造になっている。また、光ファイバの先端部に可動または固定の反射鏡２７ａ〜２７ｄを配置することにより、エバネッセント光での測定時に高強度の通常光が光ファイバ外部へ漏れ出ることを防止している。
【００１３】
（ａ）は光ファイバ内に励起光２９が入射すると、エバネッセント光２５が剥き出しとなったコア２４の周囲の表面に発生する。血漿中または血管壁表面の光吸収物質にエバネッセント光２５が照射されると、音波３０が発生し周囲に放射される。光ファイバの先端部に反射鏡２７ａにより、吸収されなかった光は入射側へ戻り、エバネッセント光２５以外が光ファイバ外部へ漏れ出ることはない。反射鏡２７ａを反射鏡開閉用ワイヤ４６ａにより倒すと、光ファイバ端面の射出窓４５より通常光４９が血液中に射出し、血液中または血管壁内部の光吸収物質に吸収され、音波３０が発生し周囲に放射される。
（ｂ）はカテーテル先端の光ファイバを先端部屈曲用ワイヤ４６ｂや圧電アクチュエータなどで引っ張ったり、押したりして直線状から湾曲状へ変形することにより、直線状でエバネッセント光２５だけが発生している状態から、湾曲部からエバネッセント光２５以外に通常光４９を発生させる。
（ｃ）はコアだけにした光ファイバに伸縮性透明プラスチック膜４７等を被覆し、コア２４と伸縮性透明プラスチック膜４７の間に透明な液体４８を流し込み変形させる。それぞれの屈折率はコア２４≦透明液体４８≦伸縮性透明プラスチック膜４７の関係が必要である。直線状の時は、エバネッセント光２５しか発生していないが、伸縮性透明プラスチック膜４７が膨らむにしたがって湾曲した部分より通常光４９が照射されるようになる。
これらのカテーテル構造は光ファイバが１本であるため、通常の２本の光ファイバを用いている酸素飽和度などを測定するカテーテルに比較して、同一サイズ以下の細径にすることが可能である。
（ｄ）は、それぞれ、エバネッセント光２５用と通常光４９用の２本の光ファイバを設けた構造で、エバネッセント光２５用と通常光４９用の光ファイバへ入射光を切り替えて測定する。（ａ），（ｂ）および（ｃ）は可動部がない簡単な構造である。可動部がないため、通常の２本の光ファイバを用いている酸素飽和度などを測定するカテーテルと同一サイズにすることが可能である。
【００１４】
エバネッセント光２５または通常光４９を吸収した光吸収物質は、光音響効果でその吸収強度対応の音波３０が発生し、周囲に放射された該音波３０は、測定ターゲットの生体表面に設置されている集音マイクロフォン５０に検知される。
集音マイクロフォン５０で検知された音波は電気信号５０ａに変換され、ロックインアンプ５１に入力する。ロックアンプ５１では参照波が信号成分の周波数に引き込まれ、時間平均化されて信号成分の直流電圧が出力される。
制御部８は、制御プログラムに基づきＣＰＵなどの演算素子によって光源制御や測定動作を行うとともにロックインアンプ５１から出力された直流電圧を予め記憶されている参照データと比較することにより血液中および血管壁中の光吸収物質の存在量を算出する。
【００１５】
モニタ９には測定動作のためのメニュー画面が表示されるとともに測定した光吸収強度および光吸収物質の存在量が表示される。メニュー画面では光源の出力，波長領域などのスペックが表示され、操作卓１２により光源の発光波長や出力を調整することができる。また、出力すべき演算内容についても調整することが可能である。
記録計１０は時間とともに血中のリボフラビンなどの光吸収物質による光吸収強度の変化が刻まれる。
【００１６】
図３は、本発明によるカテーテルシステムの信号処理部の実施の形態を示すブロック図、図４は、図３の各回路部の出力信号波形の一例を示す波形図である。
光源制御部１１において発振器３１はｓｉｎ波（その他、方形波など）を出力し、該ｓｉｎ波によって光源駆動回路３２が駆動され、ＬＥＤ，レーザダイオードなどの光源３３から例えば、図４（Ａ）に示すような所定波形で所定周波数の励起波が出力される。励起波は光ファイバを伝搬し、光ファイバ先端部からエバネッセント光が発生、または、通常光が射出され、血管３７中に照射される。エバネッセント光の場合、光ファイバ先端部表面近くのエバネッセント光発生部位３４ａに存在する光吸収物質に吸収された光は光音響効果によって吸収光強度対応の音波に変換され、皮膚３６の表面に向けて放射され、音波はマイクロフォン３５により検出されアンプ４０によって増幅される。通常光の場合、通常光照射部位３４ｂに存在する光吸収物質に吸収された光は光音響効果によって吸収光強度対応の音波に変換され、皮膚３６の表面に向けて放射され、音波はマイクロフォン３５により検出されアンプ４０によって増幅される。
【００１７】
マイクロフォン３５で検出される信号光は図４（Ｂ）に示すように広帯域の信号であり、吸光信号の他、呼吸ノイズ，脈拍ノイズ，血流ノイズ，外来ノイズなどが重畳された信号である。この重畳信号はバンドパスフィルタ４１によって図４（Ｃ）に示すように吸光蛍光信号付近が抽出される。
一方、発振器３１から出力されたsin 波は波形整形回路３８によって波形整形され、９０°位相シフト回路３９により９０°位相シフトさせられる。
この９０°位相シフトさせられた信号と上記図４（Ｃ）の信号を乗算器４２で乗算することにより図４（Ｄ）に示すような乗算信号を得ることができる。
【００１８】
ローパスフィルタ４３は図４（Ｄ）の高周波成分をカットすることにより図４（Ｅ）に示すような信号光強度の直流成分を得ることができる。この直流成分は表示器４４（図１のモニタ９に対応）に表示され、制御部８によって予め求めて記憶してある基準データと比較することにより血液や血管の各種特性の状態を得ることができる。
上記波形整形回路３８，９０°位相シフト回路３９，アンプ４０，バンドパスフィルタ４１，乗算器４２及びローパスフィルタ４３を含む回路部分は、図１のロックインアンプ５１で機能する回路に相当する部分である。また、各回路出力波形はアナログ信号形で表示されているが、予めディジタル信号に変換されていてディジタル信号で処理されるものである。
【００１９】
図１において励起光を作る光学系は、測定する光吸収物質に適した励起波長を選択するために、発光波長の異なる半導体レーザやＬＥＤを複数設けたり、励起フィルタを手動や自動で交換する機構を付属させることができる。また、光源が半導体レーザの場合は単色光であるため光源側に励起フィルタなどのバンドパスフィルタは不要である。さらに、エバネッセントカテーテルに注射用細管やバルーン膨脹用パイプ等を付属させることが可能である。
【００２０】
つぎに本発明の実施の形態で用いられる光吸収物質の例について説明する。
多くの生体内物質や医薬品は特定の波長域に光吸収を持っているので、ターゲットとなる可能性がある物質は数多い。例として以下のものが挙げられる。
生体内物質  ；ビリルビン、ビタミンＢ類、ヘモグロビンなど
医薬品      ；プロポフォール、リボフラビン、インドシアニングリーンなど
上記医薬品は多くの場合、静脈注射により生体内に注入する。また筋肉注射や経口投与（飲み薬）などでも血中濃度変化を測定することが可能な種類もある。
【００２１】
光ファイバに入射させる光、すなわちエバネッセント光を発生させる光は、対象とする光吸収物質（ビタミンＢ２，インドシアニングリーンなど）の励起光が用いられる。具体的にはビタミンＢ２では、４５０ｎｍ付近のものが、インドシアニングリーンでは７８０ｎｍ付近の光が用いられる。なお、上記「付近」とは吸収波長帯の光を指す意味である。  また、通常光を照射する光は、赤血球中のヘモグロビンでは５４０ｎｍや５７５ｎｍ付近の光が用いられ、インドシアニングリーンでは７８０ｎｍ付近の光が用いられる。
【００２２】
図５は、本発明によるカテーテルシステムの具体的な構成例を示す図である。
カテーテルは光ファイバを挿入する部分，サンプリングポート５５および液体または薬剤投与ポート５４を持っている。光ファイバの端部にはコネクタ５６が接続されており、信号処理装置である測定装置５７に接続される。ロックインアンプはこの測定装置５７内に組み込み込まれているが、測定装置５７とは別体として設置することも可能である。
測定ターゲットの表面の皮膚５３の上に集音マイクロフォン５０が密着させられている。電気信号線（コード）５０ａはコネクタ５２によりロックインアンプ５１に接続されており、測定された信号は測定装置５７に入力する。集音マイクロフォン５０の電気信号線５０ａはカテーテルのコードと一体化することが可能である。
【００２３】
図５では、集音マイクロフォン５０は１個しか図示していないが、検出部を取り囲むように複数個設置して検出感度を向上させ、ノイズを低減することが可能である。複数個の集音マイクロフォンを設置した場合、全ての集音マイクロフォンと検出部の距離（音響的距離）を同一にすることは難しい。距離が異なる場合、単純に信号を加算したのでは音波の位相により信号が増強できるとは限らない。
検出した音波の位相を合わせるため、一例として、通常光照射でヘモグロビンの４１５ｎｍ付近の強い光吸収帯で光音響効果による音波を発生させる。この音波を、個々の集音マイクロフォンで測定し、それぞれの集音マイクロフォンで集音マイクロフォン毎の位相差を測定し、加算時にこれと逆の位相差を持たせることで、正確に信号加算を行い、検出感度の向上とノイズの低減を行う。
【産業上の利用可能性】
【００２４】
臨床検査や薬剤モニタするため生体組織中に光ファイバを導入し、検出器に光音響効果を利用した集音マイクロフォンを用いて血中濃度変化などを測定するカテーテルシステムである。
【図面の簡単な説明】
【００２５】
【図１】本発明による光音響効果を用いたカテーテルシステムの実施の形態を示す図である。
【図２】本発明によるカテーテルシステムに用いるカテーテル先端の実施例の構造を示す図である。
【図３】本発明によるカテーテルシステムの信号処理部の実施の形態を示すブロック図である。
【図４】図３の各回路部の出力信号波形の一例を示す波形図である。
【図５】本発明によるカテーテルシステムの具体的な構成例を示す図である。
【符号の説明】
【００２６】
１  光コネクタ
２  集光レンズ
３  エバネッセントカテーテル
８  制御部
９  モニタ
１０  記録計（Ｘ−Ｙプロッタ）
１１  光源制御部
１２  操作卓
１３，３３  光源（半導体レーザ，ＬＥＤ，キセノンランプなど）
１５  励起フィルタ
２１  カテーテル
２２  保護層
２３  クラッド層
２４  コア
２５  エバネッセント光
３０  音波
３１  発振器
３２  光源駆動回路
３４ａ  エバネッセント光発生部位
３４ｂ  通常光照射部位
３５，５０  集音マイクロフォン
３６，５３  皮膚
３７  血管
３８  波形整形回路
３９  ９０°位相シフト回路
４０  アンプ
４１  バンドパスフィルタ
４２  乗算器
４３  ローパスフィルタ
４４  表示器
４５  射出窓
４６ａ  反射鏡開閉用ワイヤ
４６ｂ  先端部屈曲用ワイヤ
４７  伸縮性透明プラスチック膜
４８  透明液体
４９  通常光
５１  ロックインアンプ
【図１】
2007307007.tif 000003
【図２】
2007307007.tif 000004
【図３】
2007307007.tif 000005
【図４】
2007307007.tif 000006
【図５】
2007307007.tif 000007